(57)【要約】      （修正有）【課題】複数の光源から発する複数の光を集光して、噴出する水の軌道に対応して光を照射する水鉄砲を提供する。【解決手段】水に圧力を負荷する本体部材３０と、圧力を負荷された水を噴出する噴出部材１０と、噴出した水に光を照射する光照射部材とを有し、本体部材３０の一の端部に、光照射部材を内部に配置した噴出部材１０を配置し、光照射部材は、円環形状であり、複数の光源を円形状に配置し、円環形状の中心部に圧力を負荷された水が通過する水路部を備え、噴出部材１０は、円環形状であり、複数のレンズ部を円形状に配置し、該噴出部材１０の中心部に水路部を通過した水を噴出する噴口部を備え、複数のレンズ部は、複数の光源に対応する位置に配置され、複数の該光源をそれぞれ集光し、複数の光源は、噴口部から噴出した水の軌道ＷＳに対応する方向に、該光源の光軸ＬＳを設定している。【選択図】図１
0003212026.tif 000002
【実用新案登録請求の範囲】
【請求項１】
内部に組み込んだポンプによって水を送り出す水鉄砲であって、
前記ポンプを内蔵し、前記水に圧力を負荷する本体部材と、
前記圧力を負荷された前記水を噴出する噴出部材と、
噴出した前記水に光を照射する光照射部材と
を有し、
前記本体部材の一の端部に、前記光照射部材を内部に配置した前記噴出部材を配置し、
前記光照射部材は、円環形状であり、複数の光源を円形状に配置し、前記円環形状の中心部に前記圧力を負荷された前記水が通過する水路部を備え、
前記噴出部材は、円環形状であり、複数のレンズ部を円形状に配置し、該噴出部材の中心部に前記水路部を通過した前記水を噴出する噴口部を備え、
複数の前記レンズ部は、複数の前記光源に対応する位置に配置され、複数の該光源をそれぞれ集光し、
複数の前記光源は、前記噴口部から噴出した前記水の軌道に対応する方向に、該光源の光軸を設定している、
ことを特徴とする水鉄砲。
【請求項２】
複数の前記レンズ部で集光された複数の前記光源の光は、前記噴口部から噴出した前記水に照射され、該水に反射して散光する、
ことを特徴とする、請求項１に記載の水鉄砲。
【請求項３】
複数の前記光源は、ＬＥＤである、ことを特徴とする、請求項１または請求項２に記載の水鉄砲。
【考案の詳細な説明】
【技術分野】
【０００１】
本考案は、内部に組み込んだポンプによって水を送り出す水鉄砲に関する。
【背景技術】
【０００２】
特許文献１では、砲身の先端から高圧水を噴射する水鉄砲において、砲身が地平面上において指向する方向に向けて照準光を照射する光照準器を設けたことを特徴とする光照準器付水鉄砲に関する技術を開示している。
【先行技術文献】
【特許文献】
【０００３】
【特許文献１】特開平６−２４１６９２号公報
【考案の概要】
【考案が解決しようとする課題】
【０００４】
特許文献１では、噴出した水の軌道と光の軌道とが異なる場合がある。また、特許文献１には、光を照射する場合に、噴出水と照射光とが交差し、照射光が減衰または消滅してしまう場合がある。さらに、暗い環境でも楽しめるように、光度が高い照射光付きの水鉄砲が求められる。
【０００５】
本考案は、複数の光源から発する複数の光を集光して、噴出する水の軌道に対応して光を照射することができる水鉄砲を提供することを目的とする。また、複数の光源から発する複数の光を噴出した水に照射して散光し、噴出した水の軌道を光らせることができる水鉄砲を提供することを目的とする。
【課題を解決するための手段】
【０００６】
上記課題を解決するために、本考案の一つの実施形態は、内部に組み込んだポンプによって水を送り出す水鉄砲であって、前記ポンプを内蔵し、前記水に圧力を負荷する本体部材と、前記圧力を負荷された前記水を噴出する噴出部材と、噴出した前記水に光を照射する光照射部材とを有し、前記本体部材の一の端部に、前記光照射部材を内部に配置した前記噴出部材を配置し、前記光照射部材は、円環形状であり、複数の光源を円形状に配置し、前記円環形状の中心部に前記圧力を負荷された前記水が通過する水路部を備え、前記噴出部材は、円環形状であり、複数のレンズ部を円形状に配置し、該噴出部材の中心部に前記水路部を通過した前記水を噴出する噴口部を備え、複数の前記レンズ部は、複数の前記光源に対応する位置に配置され、複数の該光源をそれぞれ集光し、複数の前記光源は、前記噴口部から噴出した前記水の軌道に対応する方向に、該光源の光軸を設定している、ことを特徴とする水鉄砲を提供する。
【０００７】
本考案の他の実施形態は、上記の水鉄砲であって、複数の前記レンズ部で集光された複数の前記光源の光は、前記噴口部から噴出した前記水に照射され、該水に反射して散光する、ことを特徴とする水鉄砲であってもよい。
【０００８】
本考案の他の実施形態は、上記のいずれか１つの水鉄砲であって、複数の前記光源は、ＬＥＤである、ことを特徴とする水鉄砲であってもよい。
【考案の効果】
【０００９】
本考案に係る水鉄砲によれば、複数の光源から発する複数の光を集光して、噴出する水の軌道に対応して光を照射することができる。また、本考案に係る水鉄砲によれば、複数の光源から発する複数の光を噴出した水に照射して散光し、噴出した水の軌道を光らせることができる。
【図面の簡単な説明】
【００１０】
【図１】本考案の実施形態に係る水鉄砲の一例を説明する説明図である。
【図２】本考案の実施形態に係る水鉄砲の噴出部材の一例を説明する説明図である。
【図３】本考案の実施形態に係る水鉄砲の一例を説明する分解図である。
【図４】本考案の実施形態に係る水鉄砲の光照射部材の一例を説明する平面図である。
【図５】本考案の実施形態に係る水鉄砲の使用状態の一例を説明する写真である。
【考案を実施するための形態】
【００１１】
実施形態に係る水鉄砲の例を用いて、本考案を説明する。なお、本考案は、以後に説明する水鉄砲以外でも、水または液体を噴射、噴出、発射、流出する玩具（部品、装置、機器、器具など）であれば、いずれのものにも用いることができる。なお、水鉄砲の素材、色、形状は、特に限定されない。水鉄砲の色は、透明、半透明、色付きのものであってもよい。水鉄砲の色は、例えば使用者（消費者）の趣味趣向に合わせた柄のもの（例えば透明、絵柄、広告宣伝表記など）であってもよい。
【００１２】
以後に、本考案を説明する。
【００１３】
図１乃至図５を用いて、本考案の実施形態に係る水鉄砲の構成を説明する。ここで、図１（ａ）は、本考案の実施形態に係る水鉄砲１００の外観の一例を説明する説明図である。図１（ｂ）は、本考案の実施形態に係る水鉄砲１００の使用状態の一例を説明する説明図である。図２は、本考案の実施形態に係る水鉄砲１００の噴出部材１０の一例を説明する説明図である。図３は、本考案の実施形態に係る水鉄砲１００の噴出部材１０および光照射部材２０の一例を説明する分解図である。図４は、本考案の実施形態に係る水鉄砲１００の光照射部材２０の一例を説明する平面図である。図５は、本考案の実施形態に係る水鉄砲の使用状態の一例を説明する写真である。なお、図１等に示す水鉄砲の構成等は一例であり、本考案は図１等に示す水鉄砲等に限定されるものではない。
【００１４】
本考案に係る水鉄砲１００は、内部に組み込んだポンプによって水を送り出す玩具である。なお、ポンプや水の供給方法・保持方法などは公知の技術を利用することができる。また、ポンプや水の供給方法・保持方法などの説明は省略する。以下にて、本考案に係る水鉄砲１００の特徴的な構成を説明する。
【００１５】
図１（ａ）および図１（ｂ）に示すように、本考案に係る水鉄砲１００は、本体部材３０の内部に組み込んだポンプ（不図示）によって、噴出部材１０から水ＷＳを送り出す玩具である。図１（ｂ）に示すように、本考案に係る水鉄砲１００は、複数の光源から発する複数の光を集光して、光度が高い光を生成し、噴出する水ＷＳの軌道に対応して光ＬＳを照射する。また、本考案に係る水鉄砲１００は、複数の光源から発する複数の光ＬＳを噴出した水ＷＳに照射して散光し、噴出した水ＷＳの軌道を光らせる。
【００１６】
図１（ａ）および図３に示すように、本考案に係る水鉄砲１００は、ポンプを内蔵して水に圧力を負荷する本体部材３０と、圧力を負荷された水を噴出する噴出部材１０と、噴出した水に光を照射する光照射部材２０とを有する。本考案に係る水鉄砲１００は、本体部材３０の一の端部に、光照射部材２０を内部に配置した噴出部材１０を配置している。ここで、光照射部材２０と噴出部材１０とは、同軸上に配置される。
【００１７】
本体部材３０は、図１（ａ）に示すように、ポンプを内蔵して、水に圧力を負荷するものである。本体部材３０は、ポンプや水の供給方法・保持方法などは公知の技術を利用することができる。
【００１８】
光照射部材２０は、噴出部材１０が噴出した水に光を照射するものである。図３および図４に示すように、光照射部材２０は、円環形状であり、複数の光源２１（図４の２１ａ乃至２１ｆ）を円形状に配置している。また、光照射部材２０は、円環形状の中心部に、本体部材３０（ポンプ）で圧力を負荷された水が通過する水路部２２を備える。光照射部材２０は、複数の光源２１を制御する制御部２０を備える。制御部２０が複数の光源２１を制御する方法は、公知の技術を用いることができる。
【００１９】
複数の光源２１は、図１（ａ）に示すように、噴口部から噴出した水の軌道ＷＳに対応する方向に、光源の光軸ＬＳを設定している。これにより、本考案に係る水鉄砲は、複数の光源２１を用いて、複数の光源が発する複数の光から光度が高い光を生成し、噴出する水の軌道に対応して照射することができる。また、本考案に係る水鉄砲は、複数の光源２１を用いて、複数の光源から発する複数の光を噴出した水に照射して散光し、噴出した水の軌道を光らせることができる。なお、複数の光源は、公知の技術を用いることができる。複数の光源は、ＬＥＤを用いることができる。また、複数の光源の仕様は、設計、実験、計算などで予め定められる仕様とすることができる。
【００２０】
噴出部材１０は、図２に示すように、円環形状であり、複数のレンズ部１３（１３ａ乃至１３ｆ）を円形状に配置している。また、噴出部材１０は、その中心部に水路部２２（図３）を通過した水を噴出する噴口部１２を備える。また、噴出部材１０は、図２に示すように、略円筒形状のケース部１１を更に備える。ケース部１１は、その内部に光照射部材２０（図３）を同軸に保持する。
【００２１】
複数のレンズ部１３（図２の１３ａ乃至１３ｆ）は、複数の光源２１（図４の２１ａ乃至２１ｆ）に対応する位置に配置される。これにより、複数のレンズ部１３は、複数の光源２１をそれぞれ集光し、光度が高い光を生成し、集光した複数の光源の光ＬＳ（図１（ｂ））を噴口部１２から噴出した水ＷＳ（図１（ｂ））に照射することができ、水に反射して散光することができる。なお、複数のレンズ部の仕様は、設計、実験、計算などで予め定められる仕様とすることができる。
【００２２】
以上のとおり、本考案に係る水鉄砲によれば、複数の光源から発する複数の光を集光して、光度が高い光を生成し、噴出する水の軌道に対応して光を照射することができる。また、本考案に係る水鉄砲によれば、図５に示すように、複数の光源から発する複数の光ＬＳを噴出した水に照射して散光し、噴出した水の軌道ＷＳを光らせることができる。
【００２３】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２４】
１００  ：  水鉄砲
１０  ：  噴出部材
１１  ：  カバー部
１２  ：  噴口部
１３，１３ａ，１３ｂ，１３ｃ，１３ｄ，１３ｅ，１３ｆ  ：  レンズ部
２０  ：  光照射部材
２１，２１ａ，２１ｂ，２１ｃ，２１ｄ，２１ｅ，２１ｆ  ：  光源部
２２  ：  水路部
３０  ：  本体部材
ＬＳ  ：  光線
ＷＳ  ：  噴出水の軌道
【図１】
0003212026.tif 000003
【図２】
0003212026.tif 000004
【図３】
0003212026.tif 000005
【図４】
0003212026.tif 000006
【図５】
0003212026.tif 000007